(57)【要約】      （修正有）【課題】携帯型エアポンプを提供する。【解決手段】本体１とベース２を含み、本体はハウジング１１とエアポンプ本体１２を含み、ハウジング内にはエアポンプ本体を収容するための空洞３が設けられており、本体には排気口１３が設けられており、本体とベースは取り外し可能に組み付けられ、ベース内にはバッテリ２１が設けられており、エアポンプ本体とバッテリは電源ユニット４を介して電気的に接続され、電源ユニットは互いに係合する第１ユニットと第２ユニットを含み、第１ユニットは第１先端ピンと第２先端ピンを含み、第２ユニットは第１導電片と第２導電片を含み、第１導電片と第２導電片はバッテリの正極と負極にそれぞれ電気的に接続され、第１先端ピン及び第２先端ピンは、それぞれ第１導電片及び第２導電片と係合して電気を取得する。本考案の携帯型エアポンプは、取り外し可能な電源ユニットを備えているため使用や携帯に便利である。【選択図】図１
0003221400.tif 000002
【実用新案登録請求の範囲】
【請求項１】
本体（１）とベース（２）を含み、前記本体（１）はハウジング（１１）とエアポンプ本体（１２）を含み、ハウジング（１１）内にはエアポンプ本体（１２）を収容するための空洞（３）が設けられており、本体（１）には排気口（１３）が設けられている携帯型エアポンプにおいて、
前記本体（１）とベース（２）は取り外し可能に組み付けられ、ベース（２）内にはバッテリ（２１）が設けられており、エアポンプ本体（１２）とバッテリ（２１）は電源ユニット（４）を介して電気的に接続され、
前記電源ユニット（４）は互いに係合する第１ユニット（４１）と第２ユニット（４２）を含み、第１ユニット（４１）は第１先端ピン（４１１）と第２先端ピン（４１２）を含み、第２ユニット（４２）は第１導電片（４２１）と第２導電片（４２２）を含み、第１導電片（４２１）と第２導電片（４２２）はバッテリ（２１）の正極と負極にそれぞれ電気的に接続され、
第１先端ピン（４１１）及び第２先端ピン（４１２）は、それぞれ第１導電片（４２１）及び第２導電片（４２２）と係合することを特徴とする携帯型エアポンプ。
【請求項２】
前記本体（１）とベース（２）はネジにより組み付けられ、前記第１導電片（４２１）はベース上部の中心寄りの領域に設けられており、第２導電片（４２２）は、リング状をなして第１導電片（４２１）の外周に設けられており、第１先端ピン（４１１）と第２先端ピン（４１２）は、それぞれ第１導電片（４２１）及び第２導電片（４２２）と係合するよう、本体（１）の底部の対応位置に設けられていることを特徴とする請求項１に記載のエアポンプ。
【請求項３】
前記バッテリ（２１）は二次電池であることを特徴とする請求項１又は２に記載のエアポンプ。
【請求項４】
前記ベース（２）には充電ポート（２２）が更に設けられており、充電ポート（２２）はバッテリの正極と負極に電気的に接続されることを特徴とする請求項３に記載のエアポンプ。
【請求項５】
前記充電ポート（２２）はベース（２）の上部に設けられることを特徴とする請求項４に記載のエアポンプ。
【請求項６】
前記本体（１）には第２充電ポート（２３）が更に設けられており、第２充電ポート（２３）は第１先端ピン（４１１）及び第２先端ピン（４１２）に電気的に接続されることを特徴とする請求項３に記載のエアポンプ。
【請求項７】
前記排気口（１３）には接続ネジ（１３１）が設けられていることを特徴とする請求項１に記載のエアポンプ。
【請求項８】
前記本体（１）にはバッテリインジケータ（５２）が更に設けられていることを特徴とする請求項１に記載のエアポンプ。
【請求項９】
前記本体（１）とベース（２）の間にはパッキンが設けられていることを特徴とする請求項２に記載のエアポンプ。
【請求項１０】
前記ハウジング（１１）は、モータハウジング（１１１）、上蓋（１１２）及び下蓋（１１３）を含み、上蓋（１１２）はモータハウジング（１１１）の上部に組み付けられ、上蓋（１１２）には排気口（１３）が設けられており、下蓋（１１３）はモータハウジング（１１１）の底部に組み付けられ、第１ユニット（４１１）は下蓋（１１３）に設けられており、
モータハウジング（１１１）は中空となっており、上蓋（１１２）及び下蓋（１１３）とともにエアポンプ本体（１２）を収容するための空洞（１１）を形成することを特徴とする請求項１に記載のエアポンプ。
【考案の詳細な説明】
【技術分野】
【０００１】
本考案はエアポンプの構造に関し、具体的には、メーキャップ、ケーキの色付け、ヘアカラー、映画の特殊メイク、模型の着色といった日常生活の噴霧装置に用いられる携帯型エアポンプに関する。
【背景技術】
【０００２】
噴霧とは、高圧システムにより液体を極めて細かい水粒子として噴射することである。これらの微細な人工霧は、粒子のきめが細かく均一であり、異なる色間の移行が自然なことから、見た目が美しくなる。人工霧は、例えば、メーキャップ時におけるカラーコスメの霧化、食用色素によるケーキの霧化着色、ハイクラス美容師によるヘアカラー業務、映画の特殊メイクにおける霧化着色、模型の霧化着色、美容及びスキンケアにおける肌の補水、或いは、化粧品の霧化吸収等の様々な分野に応用されている。
【０００３】
ところが、従来技術において噴霧に用いられるエアポンプは大部分が完全一体型構造となっており、電気又は圧縮ガスにより駆動される。そのため、使用上の利便性に劣っており、特に、個人が使用する場合には携帯しにくいとの課題が存在する。また、携帯型の噴霧装置の場合には電気の取得も課題となる。現在のところ、噴霧用のエアポンプのバッテリは交換不可能なため、バッテリの使用寿命が限界に達するか、バッテリが故障すると、エアポンプ全体を廃棄せざるを得なくなる。
【考案の概要】
【考案が解決しようとする課題】
【０００４】
本考案は、使用及び携帯しやすいよう取り外し可能な電源ユニットを備える携帯型エアポンプを提供することを目的とする。
【課題を解決するための手段】
【０００５】
上記の目的を達成すべく、本考案では以下の技術方案を用いる。
【０００６】
携帯型エアポンプであって、本体とベースを含み、前記本体はハウジングとエアポンプ本体を含み、ハウジング内にはエアポンプ本体を収容するための空洞が設けられており、本体には排気口が設けられている。エアポンプ本体の動作により発生した気流が排気口から排出されることで、霧化ユニットにガスが供給され、噴霧操作が実現される。
【０００７】
前記本体とベースは取り外し可能に組み付けられ、ベース内にはバッテリが設けられており、エアポンプ本体とバッテリは電源ユニットを介して電気的に接続される。本体とベースの組み付けは、具体的には様々な方式が考えられる。例えば、係合装置による係接、ネジによる接続或いはクランプなど、従来技術における取り外し可能な接続を実現可能とするその他の組み付け方式が考えられる。
【０００８】
前記電源ユニットは互いに係合する第１ユニットと第２ユニットを含み、第１ユニットは第１先端ピンと第２先端ピンを含み、第２ユニットは互いに絶縁される第１導電片と第２導電片を含み、第１導電片と第２導電片はバッテリの正極と負極にそれぞれ電気的に接続され、前記第１先端ピン及び第２先端ピンは、それぞれ第１導電片及び第２導電片と係合して電気を取得する。
【０００９】
即ち、電源ユニットにおける２つの部分がそれぞれ本体の底部とベースの上部に設けられており、且つ、これら２つの部分がそれぞれエアポンプ本体とバッテリに電気的に接続される。電源ユニットとしての２つの部分（即ち、第１ユニットと第２ユニット）を互いに係合させることで、エアポンプ本体はバッテリによる電気供給動作が可能となる。なお、言うまでもなく、前記電気回路においてスイッチは一般的に不可欠なものとされるが、従来技術において常用されているため、当業者は必要に応じて回路に設置可能である。
【００１０】
より好ましくは、前記第１ユニットと第２ユニットの少なくとも一方は弾性を有する。例えば、バネを設けるか、金属部材を湾曲して形成することで、双方の電気接続効果がいっそう良好となり、且つ、加工時の精度要求が低下する。
【００１１】
好ましくは、前記本体とベースは取り外し可能な方式、具体的にはネジにより組み付けられ、前記第１導電片はベース上部の中心寄りの領域に設けられており、第２導電片は、リング状をなして第１導電片の外周に設けられており、第１先端ピンと第２先端ピンは、それぞれ第１導電片及び第２導電片と係合するよう、本体の底部の対応位置に設けられている。本体がベースに対して回転する際の第１先端ピンの軌道の投影図はリング状又は丸点となり得るため、第１導電片は第１先端ピンの軌道投影領域を含むように設ければよい。また、本体がベースに対して回転する際の第２先端ピンの軌道の投影図はリング状にしかなり得ないため、第２導電片は第２先端ピンの軌道投影領域を含むように設ければよい。原則的に、第１導電片と第２導電片は上記の前提を満たす任意の形状とすればよい（言うまでもなく、これらが互いに絶縁されているとの前提が不可欠となる）。
【００１２】
このような電気接続構造によれば、ベースの回転過程において、第１ユニットと第２ユニットによる悪影響は生じ得ない。即ち、回転過程において、第２先端ピンは円形軌道に沿って第２導電片上で回動する。一方、第１先端ピンについてはこれに限らず、回転円の中心に位置する場合には動かない（厳密にはその場で回転する）が、円の中心から偏移している場合には、半径は小さくなるものの円形軌道に沿って回動する。
【００１３】
好ましくは、前記バッテリは二次電池である。即ち、充電可能な電池であるため、バッテリに充電することで再利用が実現される。二次電池については、蓄電池、ニッケル水素電池、ニッケルカドミウム電池、リチウムイオン電池としてもよいし、従来技術におけるその他類似の充電可能な電池としてもよい。
【００１４】
更に、前記ベースには充電ポートが設けられている。充電ポートは、それぞれバッテリの正極と負極に電気的に接続される。そのため、取り外したベースを充電器と組み合わせることで充電が可能となる。即ち、１つの本体に対して幾つかのベースが組み付けられる場合には、本体を使用しながら、交換されたベース及びバッテリを充電できる。
【００１５】
より好ましくは、前記充電ポートはベースの上部に設けられる。これによれば、ベースと本体を組み付けた場合に携帯型エアポンプの下部本体が平滑となるため、全体的な見た目に支障をきたすことがない。
【００１６】
更に、前記本体には第２充電ポートが設けられている。第２充電ポートは、第１先端ピン及び第２先端ピンにそれぞれ電気的に接続される。これによれば、ベースを取り外すことなくベース内のバッテリを充電可能となる。
【００１７】
好ましくは、霧化ユニットを接続しやすいよう標準的な接続口を提供するために、前記排気口には接続ネジが設けられている。
【００１８】
好ましくは、前記本体にはバッテリインジケータが更に設けられている。バッテリインジケータは、動作時に電気量を判定することでバッテリ電気量の不足有無を表示するよう、エアポンプ本体の２つの接続端に電気的に接続される。
【００１９】
好ましくは、前記本体とベースの間には、導電用の電源ユニットが漏水により短絡するとの事態を回避するようパッキンが設けられている。
【００２０】
好ましくは、前記本体は、モータハウジング、上蓋及び下蓋を含み、上蓋はモータハウジングの上部に組み付けられ、上蓋には排気口が設けられており、下蓋はモータハウジングの底部に組み付けられ、第１ユニットは下蓋に設けられており、モータハウジングは中空となっており、上蓋及び下蓋とともにエアポンプ本体を収容するための空洞を形成する。
【考案の効果】
【００２１】
本考案の携帯型エアポンプは、本体とベースが取り外し可能に接続されている。且つ、噴霧用の圧縮ガスを出力すべくエアポンプ本体に電気を供給するよう、ベース内にはバッテリが設けられている。これらの特定の組み付け及び電気取得方式によって、携帯しやすく、交換が容易であり、且つ、使用時間を延長するとの目的が実現される。よって、個人が出先で仕事をしたり、ショーでデモンストレーションしたりする際の美容やメーキャップに特に適している。なお、言うまでもなく、これを一般的な噴霧装置の主要部材とし、噴霧洗浄、霧化着色又は塗装を行ってもよい。
【図面の簡単な説明】
【００２２】
【図１】図１は、本考案の某実施例におけるエアポンプの断面図である。
【図２】図２は、本考案のその他の実施例における本体構造の断面図である。
【図３ａ】図３ａは、本考案の某実施例におけるベース構造の断面図である。
【図３ｂ】図３ｂは、本考案のその他の実施例におけるベース構造の断面図である。
【図４ａ】図４ａは、図３ａの実施例の平面図である。
【図４ｂ】図４ｂは、図３ａの実施例を変形した平面図である。
【図４ｃ】図４ｃは、図３ｂの実施例の平面図である。
【図５】図５は、本考案の某実施例におけるエアポンプ本体とネジの係合を示す図である。
【考案を実施するための形態】
【００２３】
当業者が本考案をより良く理解し、本考案で保護を請求する範囲がいっそう明確に限定されるよう、以下に、本考案における幾つかの具体的実施例を挙げて本考案につき詳細に記載する。なお、以下は本考案思想における幾つかの具体的実施形態にすぎず、且つ、本考案の一部の実施例にすぎない。また、関連の構造についての具体的且つ直接的な記載は本考案の理解を容易とするためのものであって、各具体的特徴は本考案の実施範囲を必然的且つ直接的に限定するものではない。当業者が本考案思想に導かれて実施する一般的な選択及び置き換えは、いずれも本考案が保護を請求する範囲とみなすべきである。
【００２４】
携帯型エアポンプは本体１とベース２を含む。前記本体１はハウジング１１とエアポンプ本体１２を含み、ハウジング１１内にはエアポンプ本体１２を収容するための空洞３が設けられている。また、本体には排気口１３が設けられている。エアポンプ本体１２の動作により発生した気流（圧縮ガス）が排気口１３から排出されることで、霧化ユニット（図示しない）にガスが供給され、噴霧操作が実現される。
【００２５】
前記本体１とベース２は、取り外し可能に組み付けられることでエアポンプ全体を形成する。ベース２内にはバッテリ２１が設けられており、本体１とバッテリ２１は、エアポンプ本体１２に電気を供給するよう電源ユニット４を介して接続される。本体１とベース２の取り外し可能な組み付けは、例えば、係合装置による係接、ネジによる接続、或いはクランプを用いるなど様々な方式が考えられる。
【００２６】
前記電源ユニット４は、互いに係合する第１ユニット４１と第２ユニット４２を含む。第１ユニット４１は第１先端ピン４１１と第２先端ピン４１２を含み、第２ユニット４２は互いに絶縁される第１導電片４２１と第２導電片４２２を含む。第１導電片４２１と第２導電片４２２は、バッテリ２１の正極と負極にそれぞれ電気的に接続される。前記第１先端ピン４１１及び第２先端ピン４１２が第１導電片及び第２導電片とそれぞれ係合することで、エアポンプ本体１２はバッテリ２１から電気を取得可能となる。
【００２７】
より好ましくは、前記第１ユニット４１と第２ユニット４２の少なくとも一方が弾性を有する。例えば、第１ユニット４１の内部にバネを設けることで、第２ユニット４２と接触する端部に伸縮可能な弾性を持たせる一方、第２ユニット４２については金属部材を湾曲して形成する。これら２種類の方式によれば、双方の電気接続効果がいっそう良好になるとともに、加工時の精度要求が低下する。
【００２８】
一部の好ましい実施例において、前記本体１とベース２がネジにより取り外し可能に組み付けられる場合、前記第１導電片４２１はベース２上部の中心寄りの領域に設けられる（即ち、中心又は中心周辺の領域に位置する）。また、第２導電片４２２は、リング状をなして第１導電片の外周に設けられる。第１先端ピン４１１と第２先端ピン４１２は、それぞれ第１導電片４２１及び第２導電片４２２と係合するよう、本体底部の対応位置に設けられる。即ち、第１導電片４２１と第２導電片４２２は嵌設可能な２つのリングとしてもよいし、１つのリング（第２先端ピン４１２と係合）内に１つの円形領域（第１先端ピン４１１と係合。真中がわずかに偏移してもよい）を設けてもよい。第１先端ピン４１１及び第２先端ピン４１２はそれぞれ第１導電片４２１及び第２導電片４２２と係合し、且つ、ベース２が本体１に対して回転する際に、第１先端ピン４１１及び第２先端ピン４１２が第１導電片４２１及び第２導電片４２２と接触し得るようにする（ねじ込み又は取り外しにより双方の距離が離れて接触しなくなる場合を除く）。或いは、ベース２の回転時において、第１先端ピン４１１及び第２先端ピン４１２のベース２上部における投影図が常に第１導電片４２１及び第２導電片４２２の範囲内に位置するようにする。なお、言うまでもなく、第１先端ピン４１１と第２先端ピン４１２、第１導電片４２１と第２導電片４２２は互いに絶縁されていなければならず、この根本的条件については変更してはならない。このような電気接続構造によれば、ベース２の回転過程において、第１ユニット４１と第２ユニット４２がベース２又は本体１に悪影響を与えることがなく、電気取得効果が良好となる。図４ａ〜図４ｃは、想定し得る３種類の実施形態をそれぞれ示している。このうち、図４ａでは第１導電片４２１が中心に位置している。図４ｂでは第１導電片４２１が中心から偏移した領域に位置しており、点線が中心領域を示している。図４ｃでは、第１導電片４２１もまたリング状をなしている。
【００２９】
一部の実施例において、前記バッテリ２１は二次電池である。即ち、充電可能な電池であるため、バッテリに充電することで再利用が実現される。二次電池については、具体的に、蓄電池、ニッケル水素電池、ニッケルカドミウム電池、リチウムイオン電池としてもよいし、従来技術におけるその他類似の充電可能な電池としてもよい。なお、言うまでもなく、リチウムバッテリの場合にはバッテリマネージメントモジュール（ＢＭＳモジュール）を更に含む必要がある。従来技術におけるその他の二次電池を使用する場合には、本考案のバッテリ機能要求を前提に、部分的又は全体的に転用する必要がある。具体的には、当業者が従来技術と本考案の思想を元に決定すればよく、ここでは限定しない。
【００３０】
その他の実施例において、前記ベース２には充電ポート２２が更に設けられている。充電ポート２２は、それぞれバッテリの正極と負極に電気的に接続される。そのため、取り外したベース２を充電器と組み合わせることで充電が可能となる。即ち、１つの本体１に対して幾つかのベース２が組み付けられる場合には、本体１を使用しながら、交換されたベース２及びバッテリを充電できる。充電ポート２２としては、ＤＣポート、ｔｙｐｅ−ｃ、ｍｉｃｒｏ−ｕｓｂ等の形式の接続口が可能である。より好ましくは、前記充電ポート２２はベース２の上部に設けられる。これによれば、ベース２と本体１を組み付けた場合に携帯型エアポンプ全体の下部が平滑となるため、全体的な見た目に支障をきたさない。
【００３１】
その他の実施例において、前記本体１には第２充電ポート２３が更に設けられている。第２充電ポート２３についても同様に、ＤＣポート、ｔｙｐｅ−ｃ、ｍｉｃｒｏ−ｕｓｂ等の形式の接続口とすればよい。第２充電ポート２３は、第１先端ピン４１１及び第２先端ピン４１２にそれぞれ電気的に接続される。これによれば、ベース２と本体１を全体として組み付けた後に、ベース２を取り外すことなくベース２内のバッテリ２１を充電可能となる。
【００３２】
その他の実施例において、霧化ユニットを迅速且つ堅固に接続しやすいよう、前記排気口１３には接続ネジ１３１が設けられている。具体的に、ネジはＸ型とすればよい。ネジ１３１の一端はエアポンプ３の排気口に密封接続されており、他端には、霧化ユニットが接続されるよう標準的なネジ山が設けられている。
【００３３】
その他の実施例において、前記本体１にはバッテリインジケータ５２が更に設けられている。バッテリインジケータ５２は、電気量を判定することでバッテリの電気残量が十分か否かを表示するよう、エアポンプ本体１２の接続端に電気的に接続される。
【００３４】
その他の実施例において、前記本体１とベース２の間には、これらの組み付け後に接合箇所で密封作用を発揮するようパッキンが設けられている。これにより、導電用の電源ユニット４が漏水により短絡するとの事態が回避される。
【００３５】
その他の実施例において、前記ハウジング１１は、モータハウジング１１１、上蓋１１２及び下蓋１１３から構成される。上蓋１１２はモータハウジング１１１の上部に組み付けられる（ネジ、係接又は一体成型等による）。上蓋１１２には排気口１３が設けられている。また、下蓋１１３はモータハウジング１１１の底部に組み付けられる（最適には、ネジ、係接、粘着等の取り外し可能な方式とする。溶接等による固定でも原則的には構わないが、本体のメンテナンスには不便となる）。第１ユニット４１は下蓋１１３に設けられている。モータハウジング１１１内は中空となっており、上蓋１１２及び下蓋１１３とともにエアポンプ本体１２を収容するための空洞３を形成する。
【００３６】
以上は本考案におけるエアポンプの本体構造及び接続関係である。なお、各部分における電気接続点間の配線については、当業者が上記の説明に基づき自身で設定可能なため、図面には示していない。全体として、当該エアポンプの回路接続は次のように概括される。即ち、エアポンプ本体の正極及び負極は、それぞれ第１先端ピン４１１及び第２先端ピン４１２に接続されている。スイッチ５１はエアポンプ本体と第１ユニットとの経路上に設けられており、全体のオン・オフを制御するとの役割を果たす。第１先端ピン４１１及び第２先端ピン４１２は、それぞれ第１導電片４２１及び第２導電片４２２と係合することで電気的に接続される。また、第１導電片４２１及び第２導電片４２２はそれぞれバッテリの正極及び負極に接続されているため、バッテリからエアポンプ本体への電気供給が実現される。また、スイッチ５１によって動作するか否かが制御される。充電ポート２２における２つの電気接続点は、バッテリを充電するようそれぞれバッテリの正極及び負極に電気的に接続される。また、第２充電ポート２３における２つの電気接続点は、それぞれ第１先端ピン４１１及び第２先端ピン４１２に電気的に接続されるため、電源ユニットを通じてバッテリ２１への充電が実現される。バッテリインジケータについては、エアポンプ本体１２が通電して動作する際にバッテリの電気残量を表示すべく、２つの接続端がそれぞれエアポンプ本体１２における２本の接続線の端部に電気的に接続される。
【００３７】
なお、以上は本考案の発明思想に関する機能的記載であって、互いに組み合わされる技術方案を特に指定するものではない。また、本考案の技術方案は上記の記載そのものに限定されず、本考案の発明思想に導かれて実施される上記の機能の再構成、及び、これを元に行われる一般的変形は、いずれも本考案による保護の範囲に属する。
【図１】
0003221400.tif 000003
【図２】
0003221400.tif 000004
【図３ａ】
0003221400.tif 000005
【図３ｂ】
0003221400.tif 000006
【図４ａ】
0003221400.tif 000007
【図４ｂ】
0003221400.tif 000008
【図４ｃ】
0003221400.tif 000009
【図５】
0003221400.tif 000010